(57)【要約】【課題】ミラー扉の下方に前面が露出した取付部材が配置されても、良好な外観を得ることができるミラーキャビネットおよび洗面台を提供する。【解決手段】ミラーキャビネット５は、キャビネット本体２１と、キャビネット本体２１の前部に取り付けられ前面が鏡面４１ａとされたミラー扉２５〜２７と、ミラー扉２５〜２７の下方に配置されキャビネット本体２１の前部に前面が露出した状態で取り付けられる取付部材２４とを備えている。取付部材２４の前面は鏡面とされ、その鏡面がミラー扉２２の鏡面４１ａと面一になるように配置されている。【選択図】図２
2016034355.tif 000002
【特許請求の範囲】
【請求項１】
キャビネット本体と、
前記キャビネット本体の前部に取り付けられ、前面が鏡面とされたミラー扉と、
前記ミラー扉の下方に配置され、前記キャビネット本体の前部に前面が露出した状態で取り付けられる取付部材と、を備えたミラーキャビネットであって、
前記取付部材の前面は鏡面調とされ、当該鏡面が前記ミラー扉の鏡面と面一になるように配置されることを特徴とするミラーキャビネット。
【請求項２】
前記取付部材の鏡面の左右方向の長さは、前記ミラー扉の鏡面の左右方向の長さと同一長さに設定されており、
前記取付部材の鏡面の左端縁は前記ミラー扉の鏡面における左端縁の延長線上に配置され、前記取付部材の鏡面の右端縁は前記ミラー扉の鏡面における右端縁の延長線上に配置される請求項１に記載のミラーキャビネット。
【請求項３】
キャビネット本体と、
前記キャビネット本体の前部の中央部に取り付けられ、前面が鏡面とされたセンターミラー扉と、
前記センターミラー扉の左右両側において前記キャビネット本体の前部に取り付けられ、前記センターミラー扉の鏡面と面一に配置される鏡面を有する一対のサイドミラー扉と、
前記一対のサイドミラー扉のいずれか一方のサイドミラー扉、および前記センターミラー扉の下方に配置され、前記キャビネット本体の前部に前面が露出した状態で取り付けられる取付部材と、を備えたミラーキャビネットであって、
前記取付部材の前面は鏡面調とされ、当該鏡面が前記センターミラー扉の鏡面、および前記一方のサイドミラー扉の鏡面と面一になるように配置されることを特徴とするミラーキャビネット。
【請求項４】
前記取付部材の鏡面の左端縁は、前記センターミラー扉および前記一方のサイドミラー扉のうち左側に配置された扉の鏡面における左端縁の延長線上に配置され、
前記取付部材の鏡面の右端縁は、前記センターミラー扉および前記一方のサイドミラー扉のうち右側に配置された扉の鏡面における右端縁の延長線上に配置される請求項３に記載のミラーキャビネット。
【請求項５】
前記取付部材は、スイッチおよびコンセントの少なくとも一方が取り付けられる取付プレートよりなる請求項１〜４のいずれか１項に記載のミラーキャビネット。
【請求項６】
前記取付部材は、前記キャビネット本体に対して出し入れ自在に取り付けられる引出しよりなる請求項１〜４のいずれか１項に記載のミラーキャビネット。
【請求項７】
洗面ボウルを有する洗面カウンターと、前記洗面カウンターの上方に配置される請求項１〜６のいずれか１項に記載のミラーキャビネットと、を備えていることを特徴とする洗面台。
【発明の詳細な説明】
【技術分野】
【０００１】
本発明は、ミラーキャビネットおよび洗面台に関する。
【背景技術】
【０００２】
従来、マンションや戸建て住宅の浴室に隣接する脱衣場等に設置された洗面台の上方に配置されるミラーキャビネットとして、キャビネット本体と、このキャビネット本体の前部に配置された複数のミラー扉とを備え、一のミラー扉の下方のキャビネット本体に、照明具などを操作するスイッチや、ドライヤーなどの各種電気器具を接続するためのコンセント等が配置されたものが知られている（例えば、特許文献１参照）。
【０００３】
図１１は、従来のミラーキャビネットを備えた洗面台を示しており、（ａ）はその洗面台の正面図、（ｂ）はその洗面台の側面図である。図１１（ａ）に示すように、従来のミラーキャビネットでは、センタミラー扉１０６の左右両側に一対のサイドミラー１０２が配置されており、図中右側のサイドミラー扉１０２の下方において、キャビネット本体１０１の前部に前面が露出した状態で取付部材１０５が固定されている。この取付部材１０５は、例えばコンセントカバーであり、その前面には、スイッチ１０３やコンセント１０４を取り付けられている。そして、この取付部材１０５の前面には、キャビネット本体１０１と同じ色彩や模様が施されている。
【先行技術文献】
【特許文献】
【０００４】
【特許文献１】特開２０１１−９２５９０号公報
【発明の概要】
【発明が解決しようとする課題】
【０００５】
上記取付部材１０５を備えたミラーキャビネットにあっては、取付部材１０５の前面にキャビネット本体１０１と同じ色彩等が施されているため、ミラーキャビネットの正面視において、サイドミラー扉１０２と取付部材１０５との一体感がなく、ミラーキャビネット全体の外観が損なわれるという問題があった。
【０００６】
本発明は、このような事情に鑑みてなされたものであり、ミラー扉の下方に前面が露出した取付部材が配置されても、良好な外観を得ることができるミラーキャビネットを提供することを目的とする。
【課題を解決するための手段】
【０００７】
上記目的を達成するための本発明のミラーキャビネットは、キャビネット本体と、前記キャビネット本体の前部に取り付けられ、前面が鏡面とされたミラー扉と、前記ミラー扉の下方に配置され、前記キャビネット本体の前部に前面が露出した状態で取り付けられる取付部材と、を備えたミラーキャビネットであって、前記取付部材の前面は鏡面調とされ、当該鏡面が前記ミラー扉の鏡面と面一になるように配置されることを特徴としている。
【０００８】
本発明によれば、ミラー扉の下方に配置される取付部材の前面は鏡面調とされ、かつ取付部材の鏡面はミラー扉の鏡面と面一になるように配置されるため、互いに上下に配置されるミラー扉と取付部材との一体感が向上し、良好な外観を得ることができる。
【０００９】
前記取付部材の鏡面の左右方向の長さは、前記ミラー扉の鏡面の左右方向の長さと同一長さに設定されており、前記取付部材の鏡面の左端縁は前記ミラー扉の鏡面における左端縁の延長線上に配置され、前記取付部材の鏡面の右端縁は前記ミラー扉の鏡面における右端縁の延長線上に配置されるのが好ましい。
この場合、ミラー扉の左端縁と取付部材の左端縁とが一直線上に配置され、かつミラー扉の右端縁と取付部材の右端縁とが一直線上に配置されるので、ミラー扉と取付部材との一体感をさらに向上させることができる。
【００１０】
他の観点からみた本発明のミラーキャビネットは、キャビネット本体と、前記キャビネット本体の前部の中央部に取り付けられ、前面が鏡面とされたセンターミラー扉と、前記センターミラー扉の左右両側において前記キャビネット本体の前部に取り付けられ、前記センターミラー扉の鏡面と面一に配置される鏡面を有する一対のサイドミラー扉と、前記一対のサイドミラー扉のいずれか一方のサイドミラー扉、および前記センターミラー扉の下方に配置され、前記キャビネット本体の前部に前面が露出した状態で取り付けられる取付部材と、を備えたミラーキャビネットであって、前記取付部材の前面は鏡面調とされ、当該鏡面が前記センターミラー扉の鏡面、および前記一方のサイドミラー扉の鏡面と面一になるように配置されることを特徴としている。
【００１１】
本発明によれば、センターミラー扉および一方のサイドミラー扉の下方に配置される取付部材の前面は鏡面調とされ、かつ取付部材の鏡面はこれらのミラー扉の鏡面と面一になるように配置される。これにより、互いに上下に配置されるセンターミラー扉および一方のサイドミラー扉と取付部材との一体感が向上し、良好な外観を得ることができる。
【００１２】
前記取付部材の鏡面の左端縁は、前記センターミラー扉および前記一方のサイドミラー扉のうち左側に配置された扉の鏡面における左端縁の延長線上に配置され、前記取付部材の鏡面の右端縁は、前記センターミラー扉および前記一方のサイドミラー扉のうち右側に配置された扉の鏡面における右端縁の延長線上に配置されるのが好ましい。
この場合、センターミラー扉および一方のサイドミラー扉のうち左側に配置された扉の左端縁と取付部材の左端縁とが一直線上に配置され、かつ、センターミラー扉および一方のサイドミラー扉のうち右側に配置された扉の右端縁と取付部材の右端縁とが一直線上に配置される。これにより、センターミラー扉および一方のサイドミラー扉と取付部材との一体感をさらに向上させることができる。
【００１３】
前記取付部材は、スイッチおよびコンセントの少なくとも一方が取り付けられる取付プレートよりなるのが好ましい。
この場合、ミラー扉と取付プレートとの一体感が向上し、良好な外観を得ることができる。
【００１４】
前記取付部材は、前記キャビネット本体に対して出し入れ自在に取り付けられる引出しであってもよい。
この場合、ミラー扉と引出しとの一体感が向上し、良好な外観を得ることができる。
【００１５】
他の観点からみた本発明の洗面台は、洗面ボウルを有する洗面カウンターと、前記洗面カウンターの上方に配置される上記ミラーキャビネットと、を備えていることを特徴としている。
上記のように構成された洗面台によれば、上述したミラーキャビネットと同様の作用効果を奏する。
【発明の効果】
【００１６】
本発明によれば、ミラー扉の下方に前面が露出した取付部材が配置されても、良好な外観を得ることができる。
【図面の簡単な説明】
【００１７】
【図１】本発明の一実施形態に係るミラーキャビネットを備えた洗面台を示しており、（ａ）はその洗面台の正面図、（ｂ）はその洗面台の側面図である。
【図２】ミラーキャビネットを正面上方から見た斜視図である。
【図３】ミラーキャビネットを背面上方から見た斜視図である。
【図４】ミラーキャビネットのミラー扉の側面図である。
【図５】第１サイドミラー扉の開放途中の状態を上方から見た斜視図である。
【図６】利用者の視点から死角となる範囲を示すミラー扉の側面図である。
【図７】ミラーキャビネットの正面図である。
【図８】ミラーキャビネットの背面図である。
【図９】（ａ）はミラーキャビネットの左側面図であり、（ｂ）はミラーキャビネットの右側面図である。
【図１０】（ａ）はミラーキャビネットの平面図であり、（ｂ）はミラーキャビネットの底面図である。
【図１１】従来のミラーキャビネットを備えた洗面台を示しており、（ａ）はその洗面台の正面図、（ｂ）はその洗面台の側面図である。
【発明を実施するための形態】
【００１８】
＜全体構成＞
次に、本発明の好ましい実施形態について添付図面を参照しながら説明する。
図１は、本発明の一実施形態に係るミラーキャビネットを備えた洗面台１を示しており、（ａ）はその洗面台１の正面図、（ｂ）はその洗面台１の側面図である。
本実施形態の洗面台１は、図１に示すように、洗面カウンター２と、洗面カウンター２の下方に配置されたボックス状の下部キャビネット３と、洗面カウンター２の後部に立設された横長のバックパネル４と、このバックパネル４の上側に設けられたミラーキャビネット５とを備えている。
【００１９】
下部キャビネット３は、浴室で使用する洗剤や洗面具その他の備品を収納するためのものであり、床面の所要箇所に設置される。
本実施形態の下部キャビネット３は、正面開口状のボックス本体６と、このボックス本体６の正面開口部に開閉自在に取り付けられたスライド扉７と、ボックス本体６の下側に設けられた設置台８とを有している。
【００２０】
洗面カウンター２には、洗面ボウル１１が一体成形されており、この洗面ボウル１１は洗面カウンター２の幅方向両端部に渡るワイド設計になっている。
バックパネル４には、流量や水温を調節可能な水栓１２と、この水栓１２で調節された水を吐出させるシャワーヘッド１３が設けられている。水栓１２には、給水管と給湯管（図示省略）が繋げられており、シャワーヘッド１３から吐出された湯水が洗面ボウル１１で受けられて、ボックス本体６内の排水管１４で排出されるようになっている。
【００２１】
ミラーキャビネット５は、キャビネット本体２１と、キャビネット本体２１の前側開口部に開閉自在に配置された複数のミラー扉２５〜２７と、これらのミラー扉２５〜２７の上方に配置された照明具２３とを備えている。
照明具２３は、キャビネット本体２１の左右方向の全長にわたって横長に形成されており、キャビネット本体２１の前部に取り付けられている。使用者が後述するスイッチ３０を操作して照明具２３を点灯させることで、正面からの光で整髪作業等がし易いようになっている。
【００２２】
図２は、ミラーキャビネット５を正面上方から見た斜視図である。また、図３は、ミラーキャビネット５を背面上方から見た斜視図である。
図２および図３において、キャビネット本体２１の内部には、複数の収納ラック２１ａが設けられている。この収納ラック２１ａにより、ミラー扉２５〜２７の裏側にタオルや歯ブラシ等を置いておくことができ利便性が高いものとなっている。
【００２３】
＜ミラー扉＞
ミラーキャビネット５は、複数のミラー扉２５〜２７として、キャビネット本体２１の前側の中央部に配置されたセンターミラー扉２６と、センターミラー扉２６の左右両側においてキャビネット本体２１の前側に配置された一対の第１および第２サイドミラー扉２５，２７とを有している。各ミラー扉２５〜２７は、キャビネット本体２１の前面に対して水平方向に回動可能に支持されている。その詳細については後述する。
【００２４】
図４はミラーキャビネット５の各ミラー扉２５〜２７の側面図である。また、図５は第１サイドミラー扉２５の開放途中の状態を上方から見た斜視図である。
図４および図５に示すように、各ミラー扉２５〜２７は、前面が鏡面４１ａとされた鏡板４１と、この鏡板４１の後面に固定された裏板４２とによって構成されている。各ミラー扉２５〜２７の鏡面４１ａ同士は、互いに面一となるように配置されている。
なお、裏板４２の後面の上端部には、各ミラー扉２５〜２７を閉じたときにキャビネット本体２１側に当接する円柱状のマグネットキャッチ４３が固定されている。
【００２５】
裏板４２の上下方向の長さは、鏡板４１の上下方向の長さよりも短く形成されている。そして、裏板４２の上端面４２ｂは、鏡板４１の上端面４１ｂに対して下側（上下方向の中央側）に所定の段差をもって配置されている。同様に、裏板４２の下端面４２ｃは、鏡板４１の下端面４１ｃに対して上側（上下方向の中央側）に所定の段差をもって配置されている。
なお、前記段差は、裏板４２の上端面４２ｂと鏡板４１の上端面４１ｂとの間、および裏板４２の下端面４２ｃと鏡板４１の下端面４１ｃとの間のうち、いずれか一方にのみ形成されていても良い。
【００２６】
ミラーキャビネット５は、各ミラー扉２５〜２７の上端縁および下端縁に沿って延びるように当該上端縁および下端縁にそれぞれ固定されたサッシュ５１，５２と、各サッシュ５１，５２の長手方向一端部をキャビネット本体２１の前面に対して水平方向に回動可能に支持する一対の軸蝶番５３とをさらに備えている。
【００２７】
＜サッシュ＞
サッシュ５１（５２）は、鏡板４１の鏡面４１ａに沿って上下方向に延びる第１縦板部５５と、第１縦板部５５の上端部（下端部）から鏡板４１の上端面４１ｂに沿って後方に延びる第１横板部５６と、第１横板部５６の後端部から鏡板４１の後面に沿って下方（上方）に延びる第２縦板部５７と、第２縦板部５７の下端部（上端部）から裏板４２の上端面４２ｂに沿って後方に延びる第２横板部５８とを有している。
【００２８】
第１縦板部５５の高さ寸法Ｈ１は、第２縦板部５７の高さ寸法Ｈ２よりも小さく設定されている。これにより、第１縦板部５５の高さ寸法Ｈ１が第２縦板部５７の高さ寸法Ｈ２と同一長さである場合に比べて、第１縦板部５５により隠れる鏡面４１ａの上下方向の長さを可及的に小さくすることができる。したがって、第２縦板部５７による接続部６０の隠蔽効果を確保しつつ、鏡面４１ａの上下方向における利用者の可視範囲を可及的に拡げることができる。
【００２９】
図６に示すように、第２縦板部５７の高さ寸法Ｈ２は、鏡板４１の鏡面４１ａに正対した利用者の視点Ｅから第２縦板部５７の死角となる範囲Ｓに、軸蝶番５３の接続部６０が配置される程度の寸法に設定されている。これにより、サッシュ５１（５２）の第２縦板部５７により軸蝶番５３の接続部６０を確実に隠すことができる。
第２横板部５８は、その後端部が裏板４２の後面側に折り曲げられた状態で、ネジ５９により裏板４２の上端面４２ｂ（下端面４２ｃ）に固定されている。
【００３０】
＜軸蝶番＞
軸蝶番５３は、断面Ｌ字形状に形成されたブラケット６１と、ブラケット６１に対して鉛直軸回りに回転可能に取り付けられたピン軸６２と、サッシュ５１（５２）の第２横板部５８に固定された支持プレート６３と、支持プレート６３と第２横板部５８との間に介在するスペーサ６４とを有している。
【００３１】
ブラケット６１は、キャビネット本体２１の前面に複数のネジ６５により固定された垂直部６１ａと、垂直部６１ａから前方に突出する水平部６１ｂとを有している。水平部６１ｂの左右方向の一端部には、その厚さ方向にピン軸６２が貫通される被貫通部６１ｃが形成されている。
支持プレート６３は、第２横板部５８の長手方向一端部に、複数のネジ６６により固定されている。
【００３２】
ピン軸６２は、水平部６１ｂの被貫通部６１ｃおよびスペーサ６４を貫通して、支持プレート６３に固定されている。これにより、ピン軸６２がブラケット６１に対して鉛直軸回りに回転することで、支持プレート６３およびサッシュ５１（５２）を介して、各ミラー扉２５〜２７が水平方向に回動するようになっている。
本実施形態の軸蝶番５３では、水平部６１ｂの被貫通部６１ｃ、ピン軸６２、支持プレート６３およびスペーサ６４により、サッシュ５１（５２）に接続される接続部６０が構成されている。
【００３３】
第１サイドミラー扉２５では、正面視において、その左端部の上端部および下端部に固定されたサッシュ５１，５２に、一対の軸蝶番５３の接続部６０がそれぞれ接続されている（図５参照）。したがって、第１サイドミラー扉２５は、その左端部を中心にキャビネット本体２１に対して水平方向に回動するようになっている。
【００３４】
センターミラー扉２６および第２サイドミラー扉２７では、正面視において、その右端部の上端部および下端部に固定されたサッシュ５１，５２に、一対の軸蝶番５３の接続部６０がそれぞれ接続されている（図示省略）。したがって、センターミラー扉２６および第２サイドミラー扉２７は、その右端部を中心にキャビネット本体２１に対して水平方向に回動するようになっている。
【００３５】
以上のように、本実施形態の洗面台１およびミラーキャビネット５によれば、各ミラー扉２５〜２７の上端縁および下端縁にそれぞれ配置される軸蝶番５３の接続部６０の一部は、鏡板４１の上下方向の外側端部の後方に配置されるため、軸蝶番５３の接続部６０の一部を鏡板４１によって隠すことができる。これにより、各ミラー扉２５〜２７の上端縁および下端縁において鏡板４１の前面４１ａに沿って上下方向に延びるサッシュ５１，５２の第１縦板部５５を、従来のように軸蝶番５３の接続部６０を隠すために上下方向に長く形成する必要がないので、従来よりも第１縦板部５５の上下方向の長さを短くすることができる。したがって、各ミラー扉２５〜２７を閉じた状態でミラーキャビネット５を正面から見たときに、上下の両サッシュ５１，５２が目立つことがないので、軸蝶番５３を隠しつつミラーキャビネット５全体の外観を向上させることができる。
【００３６】
＜取付部材＞
図２に示すように、ミラーキャビネット５は、ミラー扉２５〜２７の下方に配置された取付部材２４をさらに備えている。
取付部材２４は、第１サイドミラー扉２５の下方に配置された第１取付部材としての取付プレート２８と、センターミラー扉２６および第２サイドミラー扉２７の下方に配置された第２取付部材としての引出し２９と、を有している。
【００３７】
取付プレート２８は、例えばコンセントカバーであり、その前面２８ａが露出した状態で、キャビネット本体２１の前部に固定されている。取付プレート２８の前面２８ａには、照明具２３を操作するスイッチ３０、およびドライヤーなどの各種電気器具を接続するための複数（図例では２個）のコンセント３１が取り付けられている。
引出し２９は、その前面２９ａが露出した状態で、キャビネット本体２１の前部に出し入れ自在に取り付けられている。
【００３８】
なお、本実施形態では、取付部材２４は、取付プレート２８と引出し２９とを有しているが、いずれか一方のみを有するものであっても良い。また、本実施形態の取付プレート２８には、スイッチ３０およびコンセント３１が取り付けられているが、いずれか一方のみが取り付けられていても良い。
【００３９】
図７はミラーキャビネット５の正面図であり、図８はミラーキャビネット５の背面図である。また、図９（ａ）はミラーキャビネット５の左側面図であり、図９（ｂ）はミラーキャビネット５の右側面図である。さらに、図１０（ａ）はミラーキャビネット５の平面図であり、図１０（ｂ）はミラーキャビネット５の底面図である。
【００４０】
図７および図９（ｂ）に示すように、取付プレート２８の前面２８ａは鏡面調とされ、その前面２８ａは、その上方に位置する第１サイドミラー扉２５の鏡面４１ａと面一になるように配置されている。ここで、「面一」とは、前面２８ａが第１サイドミラー扉２５の鏡面４１ａと面一である場合だけでなく、その面一の状態から前後方向に多少ずれている場合も含む。
【００４１】
また、前面２８ａの左右方向の長さＬ１は、第１サイドミラー扉２５の鏡面４１ａの左右方向の長さＷ１と同一長さに設定されている。ここで、「同一長さ」とは、前記長さＬ２が前記合計長さと同一長さである場合だけでなく、前記合計長さに対して多少長く形成されている場合、および前記合計長さに対して多少短く形成されている場合も含む。
【００４２】
そして、取付プレート２８の正面視において、前面２８ａの左端縁は第１サイドミラー扉２５の鏡面４１ａの左端縁の延長線上に配置され、前面２８ａの右端縁は第１サイドミラー扉２５の鏡面４１ａの右端縁の延長線上に配置されている。ここで、「延長線上に配置」とは、前面２８ａの左端縁（右側縁）が第１サイドミラー扉２５の鏡面４１ａの左端縁（右側縁）の延長線上に配置されている場合だけでなく、その延長線に対して左右方向に多少ずれている場合も含む。
【００４３】
以上のように、第１サイドミラー扉２５の下方に配置される取付プレート２８の前面２８ａは鏡面調とされ、かつ取付プレート２８の前面２８ａは、その上方に位置する第１サイドミラー扉２５の鏡面４１ａと面一になるように配置されるため、互いに上下に配置される第１サイドミラー扉２５と取付プレート２８との一体感が向上し、良好な外観を得ることができる。
また、第１サイドミラー扉２５の鏡面４１ａの左端縁と取付プレート２８の前面２８ａの左端縁とが一直線上に配置され、かつ第１サイドミラー扉２５の鏡面４１ａの右端縁と取付プレート２８の前面２８ａの右端縁とが一直線上に配置されるので、第１サイドミラー扉２５と取付プレート２８との一体感をさらに向上させることができる。
【００４４】
なお、本実施形態の取付プレート２８は、第１サイドミラー扉２５の下方に配置されているが、センターミラー扉２６または第２サイドミラー扉２７の下方に配置されていても良い。
この場合、取付プレート２８の前面２８ａの長さＬ１は、その上方に位置するミラー扉２６（２７）の鏡面４１ａの左右方向の長さＷ０（Ｗ１）と同一長さに設定され、前面２８ａの左端縁および右端縁は、当該ミラー扉２６（２７）の鏡面４１ａの左端縁および右端縁の延長線上にそれぞれ配置されていれば良い。
【００４５】
図７および図９（ａ）に示すように、引出し２９の前面２９ａは鏡面調とされ、その前面２９ａは、その上方に位置するセンターミラー扉２６および第２サイドミラー扉２７の各鏡面４１ａと面一になるように配置されている。ここで、「面一」とは、前面２９ａがセンターミラー扉２６および第２サイドミラー扉２７の各鏡面４１ａと面一である場合だけでなく、その面一の状態から前後方向に多少ずれている場合も含む。
【００４６】
また、前面２９ａの左右方向の長さＬ２は、センターミラー扉２６の鏡面４１ａの左右方向の長さＷ０と、第２サイドミラー扉２７の鏡面４１ａの左右方向の長さＷ２と、両ミラー扉２６，２７の鏡面４１ａ同士の間の隙間Ｗ３との合計長さと同一長さに設定されている。ここで、「同一長さ」とは、前記長さＬ２が前記合計長さと同一長さである場合だけでなく、前記合計長さに対して多少長く形成されている場合、および前記合計長さに対して多少短く形成されている場合も含む。
【００４７】
そして、引出し２９の正面視において、前面２９ａの左端縁は、第２サイドミラー扉２７の鏡面４１ａの左端縁の延長線上に配置され、前面２９ａの右端縁は、センターミラー扉２６の鏡面４１ａの右端縁の延長線上に配置されている。ここで、「延長線上に配置」とは、前面２９ａの左端縁（右側縁）が第２サイドミラー扉２７（センターミラー扉２６）の鏡面４１ａの左端縁（右端縁）の延長線上に配置されている場合だけでなく、その延長線に対して左右方向に多少ずれている場合も含む。
【００４８】
以上のように、センターミラー扉２６および第２サイドミラー扉２７の下方に配置される引出し２９の前面２９ａは鏡面調とされ、かつ引出し２９の前面２９ａは、その上方に位置するミラー扉２６，２７の各鏡面４１ａと面一になるように配置されるため、互いに上下に配置されるミラー扉２６，２７と引出し２９との一体感が向上し、良好な外観を得ることができる。
また、センターミラー扉２６の鏡面４１ａの左端縁と引出し２９の前面２９ａの左端縁とが略一直線上に配置され、かつ第２サイドミラー扉２７の鏡面４１ａの右端縁と引出し２９の前面２９ａの右端縁とが略一直線上に配置されるので、ミラー扉２６，２７と引出し２９との一体感をさらに向上させることができる。
さらに、センターミラー扉２６および第２サイドミラー扉２７の両下端部のサッシュ５２は上述のように目立つことがないため、ミラー扉２６，２７と引出し２９との一体感をさらに向上させることができる。
【００４９】
＜変形例＞
なお、本実施形態の引出し２９は、センターミラー扉２６および第２サイドミラー扉２７の下方に配置されているが、センターミラー扉２６および第１サイドミラー扉２５の下方に配置されていても良い。
この場合、引出し２９の前面２９ａの長さＬ２は、その上方に位置するセンターミラー扉２６の鏡面４１ａの長さＷ０と第１サイドミラー扉２５の鏡面４１ａの長さＷ１と、両ミラー扉２６，２７の鏡面４１ａ同士の間の隙間Ｗ４（図７参照）との合計長さと同一長さに設定され、前面２９ａの左端縁および右端縁は、センターミラー扉２６の鏡面４１ａの左端縁および第１サイドミラー扉２５の鏡面４１ａの右端縁の延長線上にそれぞれ配置されていれば良い。
【００５０】
また、引出し２９は、取付プレート２８と同様に、センターミラー扉２６、第１サイドミラー扉２５および第２サイドミラー扉２７のいずれか一のミラー扉の下方に配置されていても良い。
この場合、引出し２９の前面２９ａの長さＬ２は、その上方に位置する前記一のミラー扉の鏡面４１ａの左右方向の長さと同一長さに設定され、引出し２９の前面２９ａの左端縁および右端縁は、前記一のミラー扉の鏡面４１ａの左端縁および右端縁の延長線上にそれぞれ配置されていれば良い。
【００５１】
また、本実施形態の取付プレート２８は、センターミラー扉２６、第１サイドミラー扉２５および第２サイドミラー扉２７のいずれか一のミラー扉の下方に配置されているが、引出し２９と同様に、センターミラー扉２６および第１サイドミラー扉２５の下方、または、センターミラー扉２６および第２サイドミラー扉２７の下方に配置されていても良い。
この場合、取付プレート２８の前面２８ａの長さＬ１は、上述の引出し２９の前面２９ａの長さＬ２と同様に設定され、取付プレート２８の前面２８ａの左端縁および右端縁は、上述の引出し２９の前面２９ａの左端縁および右端縁と同様に配置されていれば良い。
【００５２】
また、今回開示した実施形態は例示であって制限的なものではない。本発明の権利範囲は特許請求の範囲によって示され、特許請求の範囲の構成と均等の範囲内での全ての変更が含まれる。
例えば、本実施形態では、ミラーキャビネット５を洗面台１に使用しているが、ミラーキャビネット５単体で使用してしても良い。
【符号の説明】
【００５３】
１  洗面台
２  洗面カウンター
５  ミラーキャビネット
１１  洗面ボール
２１  キャビネット本体
２４  取付部材
２５  第１サイドミラー扉（ミラー扉、サイドミラー扉）
２６  センターミラー扉（ミラー扉）
２７  第２サイドミラー扉（ミラー扉、サイドミラー扉）
２８  取付プレート
２８ａ  前面
２９  引出し
２９ａ  前面
３０  スイッチ
３１  コンセント
４１ａ  鏡面
【図１】
2016034355.tif 000003
【図２】
2016034355.tif 000004
【図３】
2016034355.tif 000005
【図４】
2016034355.tif 000006
【図５】
2016034355.tif 000007
【図６】
2016034355.tif 000008
【図７】
2016034355.tif 000009
【図８】
2016034355.tif 000010
【図９】
2016034355.tif 000011
【図１０】
2016034355.tif 000012
【図１１】
2016034355.tif 000013